【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
水中に配置されたタービン（４０３、４２３、４３３、及び４４３）と、
前記タービンに機械的に結合された発電機（４０４）と、
前記発電機に電気的に接続された（４０９）誘導表面導波プローブ（４１３）と、を備えるシステムであって、前記誘導表面導波プローブは地上媒体上に誘導表面波（４１６、６０３、及び７０３）を送出するように構成されており、前記誘導表面導波プローブは前記誘導表面導波プローブの近傍で前記地上媒体に関連付けられた複素ブリュースター入射角（θｉ，Ｂ）で入射する前記誘導表面波の波面を合成する少なくとも１つの合成電界を生成するように構成されており、前記誘導表面導波プローブは、
前記地上媒体上に持ち上げられた単一の充電端子と、
前記単一の充電端子に電気的に結合されたフィードネットワークであって、前記複素ブリュースター入射角に関連付けられた波の傾斜角（Ψ）と一致する位相遅延（Φ）を提供するフィードネットワークと、を含む、システム。
【請求項２】
水域の表面上の送電ステーション（４０６）を更に備え、前記送電ステーションは送電線（４０９）によって前記発電機に電気的に接続されている、請求項１に記載のシステム。
【請求項３】
前記タービンはヘリカルタービンを含む、請求項１又は２に記載のシステム。
【請求項４】
前記タービンは水平軸タービンを含む、請求項１又は２に記載のシステム。
【請求項５】
前記タービンはシュラウド内に封じ込められている、請求項１又は２に記載のシステム。
【請求項６】
洋上に配置された発電機（４０４）によって電力を発電することであって、前記発電機は洋上に配置されたタービン（４０３、４２３、４３３、及び４４３）に結合されていることと、
前記電力を、前記発電機から、地上媒体の一部を含む水域の表面上に配置された誘導表面導波プローブ（４１３）であって、前記誘導表面導波プローブの近傍で前記地上媒体に関連付けられた複素ブリュースター入射角（θｉ，Ｂ）で入射する誘導表面波（４１６、６０３、７０３）の波面を合成する少なくとも１つの合成電界を生成するように構成されており、前記誘導表面導波プローブは、
前記地上媒体上に持ち上げられた単一の充電端子と、
前記単一の充電端子に電気的に結合されたフィードネットワークであって、前記複素ブリュースター入射角に関連付けられた波の傾斜角（Ψ）と一致する位相遅延（Φ）を提供するフィードネットワークと、を含む、誘導表面導波プローブ（４１３）に送信すること（４０９）と、
前記誘導表面導波プローブ（４１３）から、前記地上媒体と大気との間の界面に沿って前記誘導表面波を送出することと、
を含む、方法。
【請求項７】
前記タービンはヘリカルタービンを含む、請求項６に記載の方法。
【請求項８】
前記タービンは水平軸タービンを含む、請求項６に記載の方法。
【請求項９】
前記タービンはシュラウド内に封じ込められている、請求項６に記載の方法。
【手続補正２】
【補正対象書類名】明細書
【補正対象項目名】０００１
【補正方法】変更
【補正の内容】
【０００１】
（関連出願の相互参照）
本出願は、２０１５年９月８日に出願された、「Ｌｏｎｇ  Ｄｉｓｔａｎｃｅ  Ｔｒａｎｓｍｉｓｓｉｏｎ  ｏｆ  Ｏｆｆｓｈｏｒｅ  Ｐｏｗｅｒ」と題された米国仮特許出願公開第６２，２１５，５２１号の優先権及び利益を主張する。
【手続補正３】
【補正対象書類名】明細書
【補正対象項目名】０００２
【補正方法】変更
【補正の内容】
【０００２】
本出願は、２０１３年３月７日に出願され出願番号第１３／７８９，５３８号が付与され、公開番号第２０１４／０２５２８８６（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国非仮特許出願に関連する。本出願はまた、２０１３年３月７日に出願され出願番号第１３／７８９，５２５号が付与され、公開番号第２０１４／０２５２８６５（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国非仮特許出願に関連する。本出願は更に、２０１４年９月１０日に出願され出願番号第１４／４８３，０８９号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国非仮特許出願に関連する。本出願は更に、２０１５年６月２日に出願され出願番号第１４／７２８，５０７号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属の米国非仮特許出願に関連する。本出願は更に、２０１５年６月２日に出願され出願番号第１４／７２８，４９２号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属の米国非仮特許出願に関連する。
【手続補正４】
【補正対象書類名】明細書
【補正対象項目名】００４１
【補正方法】変更
【補正の内容】
【００４１】
誘導波及び放射伝搬それぞれに対する曲線１０３及び１０６の形状が興味深い。放射電界強度曲線１０６は、幾何級数的に低下（１／ｄ、式中ｄは距離である）し、これは、両対数目盛上で直線として示されている。一方、誘導電界強度曲線１０３は、
【数１】
2018534899.tif 000001
の特徴的な指数関数的減衰を有し、両対数目盛上で独特の屈曲部１０９を呈する。誘導電界強度曲線１０３及び放射電界強度曲線１０６は、点１１２で交差し、これは交差距離で発生する。交差点１１２での交差距離未満の距離で、誘導電磁界の電界強度は、放射電磁界の電界強度より、大部分の位置で著しく大きい。交差距離より大きな距離では、その反対となる。したがって、誘導電界強度曲線及び放射電界強度曲線１０３及び１０６は、誘導電磁界と放射電磁界との間の根本的な伝搬の差異を更に示している。誘導電磁界と放射電磁界との間の差異の非公式な説明のために、Ｍｉｌｌｉｇａｎ，Ｔ．のＭｏｄｅｒｎ  Ａｎｔｅｎｎａ  Ｄｅｓｉｇｎ（ＭｃＧｒａｗ−Ｈｉｌｌ，１ｓｔ  Ｅｄｉｔｉｏｎ，１９８５，８〜９ページ）が参照される。
【手続補正５】
【補正対象書類名】明細書
【補正対象項目名】００４３
【補正方法】変更
【補正の内容】
【００４３】
空の空間において、波動方程式は、固有関数が複素波数平面上で固有値の連続スペクトルを保有する微分演算子である。この横電磁（transverse electro-magnetic）（ＴＥＭ）界は、放射電磁界と呼ばれ、それらの伝搬電界は、「ヘルツ波」と呼ばれる。しかし、導電境界の存在において、波動方程式に境界条件を加えると、数学的に、連続スペクトルに加えて離散スペクトルの合計からなる波数のスペクトル表現となる。このために、Ｓｏｍｍｅｒｆｅｌｄ，Ａ．の「Ｕｂｅｒ  ｄｉｅ  Ａｕｓｂｒｅｉｔｕｎｇ  ｄｅｒ  Ｗｅｌｌｅｎ  ｉｎ  ｄｅｒ  Ｄｒａｈｔｌｏｓｅｎ  Ｔｅｌｅｇｒａｐｈｉｅ」（Ａｎｎａｌｅｎ  ｄｅｒ  Ｐｈｙｓｉｋ，Ｖｏｌ．２８，１９０９，６６５〜７３６ページ）を参照する。また、「Ｐａｒｔｉａｌ  Ｄｉｆｆｅｒｅｎｔｉａｌ  Ｅｑｕａｔｉｏｎｓ  ｉｎ  Ｐｈｙｓｉｃｓ−Ｌｅｃｔｕｒｅｓ  ｏｎ  Ｔｈｅｏｒｅｔｉｃａｌ  Ｐｈｙｓｉｃｓ：Ｖｏｌｕｍｅ  ＶＩ」（Ａｃａｄｅｍｉｃ  Ｐｒｅｓｓ，１９４９，２３６〜２８９ページ，２９５〜２９６ページ）の第６章として刊行されたＳｏｍｍｅｒｆｅｌｄ，Ａ．の「Ｐｒｏｂｌｅｍｓ  ｏｆ  Ｒａｄｉｏ」、Ｃｏｌｌｉｎ、Ｒ．Ｅ．の「Ｈｅｒｔｚｉａｎ  Ｄｉｐｏｌｅ  Ｒａｄｉａｔｉｎｇ  Ｏｖｅｒ  ａ  Ｌｏｓｓｙ  Ｅａｒｔｈ  ｏｒ  Ｓｅａ：Ｓｏｍｅ  Ｅａｒｌｙ  ａｎｄ  Ｌａｔｅ  ２０ｔｈ  Ｃｅｎｔｕｒｙ  Ｃｏｎｔｒｏｖｅｒｓｉｅｓ」（ＩＥＥＥ  Ａｎｔｅｎｎａｓ  ａｎｄ  Ｐｒｏｐａｇａｔｉｏｎ  Ｍａｇａｚｉｎｅ，Ｖｏｌ．４６，Ｎｏ．２，Ａｐｒｉｌ  ２００４，６４〜７９ページ）、並びにＲｅｉｃｈ，Ｈ．Ｊ．、Ｏｒｄｎｕｎｇ，Ｐ．Ｆ、Ｋｒａｕｓｓ，Ｈ．Ｌ．及びＳｋａｌｎｉｋ，Ｊ．Ｇ．の「Ｍｉｃｒｏｗａｖｅ  Ｔｈｅｏｒｙ  ａｎｄ  Ｔｅｃｈｎｉｑｕｅｓ」（Ｖａｎ  Ｎｏｓｔｒａｎｄ，１９５３，２９１〜２９３ページ）を参照されたい。
【手続補正６】
【補正対象書類名】明細書
【補正対象項目名】００９２
【補正方法】変更
【補正の内容】
【００９２】
この解析はまた、誘導表面導波プローブ２００の下の実効影像電荷Ｑ１'の存在を仮定することにより、損失性導電媒体２０３に対しても使用することができる。実効影像電荷Ｑ１'は、図３に示すように、導電性影像グラウンド平面１３０回りに帯電端子Ｔ１上の電荷Ｑ１と同時に発生する。しかし、影像電荷Ｑ１'は、完全導体の場合になるように、単になんらかの実数の深さに配置され、かつ帯電端子Ｔ１上の一次ソース電荷Ｑ１と１８０°位相がずれているのではない。むしろ、損失性導電媒体２０３（例えば、テレストリアル媒体）は、位相シフトした影像を提示する。すなわち、影像電荷Ｑ１'は、損失性導電媒体２０３の表面（又は物理的境界）の下の複素深さにある。複素像深さの説明のために、Ｗａｉｔ，Ｊ．Ｒ．の「Ｃｏｍｐｌｅｘ  Ｉｍａｇｅ  Ｔｈｅｏｒｙ−Ｒｅｖｉｓｉｔｅｄ」（ＩＥＥＥ  Ａｎｔｅｎｎａｓ  ａｎｄ  Ｐｒｏｐａｇａｔｉｏｎ  Ｍａｇａｚｉｎｅ，Ｖｏｌ．３３，Ｎｏ．４，Ａｕｇｕｓｔ  １９９１，２７〜２９ページ）を参照する。
【手続補正７】
【補正対象書類名】明細書
【補正対象項目名】０１９５
【補正方法】変更
【補正の内容】
【０１９５】
タービン４０３は、海洋、海、湾岸、湾、又は同様の水域のような水域内に配置される。タービン４０３は、発電機４０４を含むか、又は発電機４０４に接続することができる。タービン４０３は、電力ケーブル又は同様のデバイスなどの送電線４０９を介して送電ステーション４０６に接続することも可能である。水がタービン４０３のブレード上を流れると、タービン４０３が回転し、発電機４０４を発電させる。発電された電気は、次いで、送電ステーション４０６の誘導表面導波プローブ４１３に接続された送電線４０９を介して送電ステーション４０６に送電される。いくつかの実施形態では、送電線４０９は、例えば、図７又は図１４に先に示した方法で、誘導表面導波プローブ４１３に直接接続することができる。他の実施形態では、送電線４０９は、例えば図１７に先に示した方法で、誘導表面導波プローブ４１３にリンク結合することができる。
【手続補正８】
【補正対象書類名】明細書
【補正対象項目名】０２００
【補正方法】変更
【補正の内容】
【０２００】
図２１Ａに示す実施形態は、以下の方法で動作することができる。水はタービン４０３のブレード上を移動し、タービン４０３を回転させる。タービン４０３は発電機４０４に機械的に結合されているので、発電機４０４のロータはタービン４０３の回転に応答して回転して発電する。発電された電気は、送電線４０９に沿って送電ステーション４０６に流れ、誘導表面導波プローブ４１３に電圧を印加させる。誘導表面導波プローブ４１３に十分な電圧が印加されると、誘導表面導波プローブ４１３は、水と大気の境界面に沿って誘導表面波４１６を送出する。
【手続補正９】
【補正対象書類名】明細書
【補正対象項目名】０２３１
【補正方法】削除
【補正の内容】
【手続補正１０】
【補正対象書類名】図面
【補正対象項目名】図２１Ａ
【補正方法】変更
【補正の内容】
【図２１Ａ】
2018534899.tif 000002
【手続補正１１】
【補正対象書類名】図面
【補正対象項目名】図２１Ｂ
【補正方法】変更
【補正の内容】
【図２１Ｂ】
2018534899.tif 000003